(57)【要約】      （修正有）【課題】修復材料、等の歯科分野において用いることができる歯科用低粘度組成物が充填されているシリンジ用蓋の密閉度を改善する。【解決手段】シリンジ用蓋の弾性力にて、ノズル先端部を密接させ保持する機構を有し、シリンジと密接する密接部に内容物の逆流防止用の空気溝を設ける。【選択図】図１
2006141932.tif 000002
【特許請求の範囲】
【請求項１】
着脱可能なノズルを有するシリンジ用の蓋において、
ノズルの内容物が排出されるノズル先端部の蓋となる穴を有するシリンジ用蓋であって、
シリンジ用蓋の弾性力にて、シリンジ先端部及びノズル先端部を密接させ保持する保持機構を有することを特徴とするシリンジ用蓋。
【請求項２】
請求項１記載のシリンジ用蓋であって、シリンジと密接する密接部に内容物が逆流防止用の空気溝を設けたことを特徴とするシリンジ用蓋。
【請求項３】
請求項１記載のシリンジ用蓋に用いるシリンジであって、シリンジ用蓋と密接する密接部に内容物が逆流防止用の空気溝を設けたことを特徴とするシリンジ。
【発明の詳細な説明】
【技術分野】
【０００１】本発明は修復材料、歯冠材料、補綴材料、予防材料、支台築造材料、根管材料、接着材料、歯面コート材料等の歯科分野において用いることができる歯科用低粘度組成物が充填されているシリンジ及びその蓋に関する。特にフローアブルコンポジットレジン用のシリンジに関する。
【技術背景】
【０００２】歯科用低粘度組成物であるフローアブルコンポジットレジンはシリンジ先端部に装着した細いノズルから直接、修復部位に充填操作を行えることから、操作性に優れた材料である。
【０００３】フローアブルコンポジットレジンの使用時にプラスチック製キャップをシリンジから取外した後、そのシリンジにノズルを装着し、患者の口腔内における修復部位に排出して充填する。使用後は感染予防のため患者毎に使用したノズルを取外して交換する必要がある。そのため、再びプラスチック製キャップをシリンジに螺接して保管するか、又は新しいノズルを装着し、その先端部にキャップをして保管していた。この使用は、１日何回も上記操作を繰り返えされ、使用しないキャップは廃棄物として破棄されていた。
特に参考となる従来技術は存在しない。
【発明の開示】
【発明が解決しようとする課題】
【０００４】キャップはシリンジ先端部に強く螺接しないと密封性が悪くなり、空気の影響を受けてペーストが変質したり、又はペーストが流れ出たりする等の問題があった。更に、蓋を掴む指が口腔内に入るノズル先端部に触れてしまうため、衛生的に好ましくないこと等の問題点があった。またキャップをチェアユニットや補助台の上に置いた場合、小さい為に見付けにくい状況があった。さらに複数回使用している間に、キャップを落下させてしまうこともある。
従来はシリンジのキャップとノズル先端部に挿入して封鎖するキャップとは材質的にも異なる２種類のものを用いており、ユーザは一方のキャップのみを使用されていた。従来、使用時において蓋の内面に歯科用低粘度組成物が付着して糸引き状になる等の問題があり、解決が望まれていた。
【発明の効果】
【０００５】  本発明によれば、弾性素材からなる特定の構造を備える蓋にて、シリンジ先端部及びノズル先端部の両方に対して蓋として用いるとこができ、シリンジ先端部やノズル先端部と密着性が良く、空気等の影響によるペースト性状や種々の特性の劣化及び不十分な封鎖状態によるペーストの流出等の問題を引き起こすことなく保管できることから優れた密閉性を有している。
これにより挿入又は取外し等の操作がより行い易くなることに加え、それぞれの先端部から取外した時にチェアユニットや補助台の上に放置する場合や床に落下させた場合における蓋を見付けるための識別性がより向上する。本発明の蓋は破棄する必要もないために環境への負荷も低減することができ、また包装材料の部品数も少なくなることからコスト面においても有用である。
【課題を解決するための手段】
【０００６】本発明は、シリンジと、シリンジに着脱可能なノズル、シリンジの蓋からなるシリンジセットである。
本発明は、着脱可能なノズルを有するシリンジ用の蓋において、ノズルの内容物が排出されるノズル先端部の蓋となる穴を有するシリンジ用蓋であって、シリンジ用蓋の弾性力にて、シリンジ先端部及びノズル先端部を密接させ保持する保持機構を有することを特徴とするシリンジ用蓋である。
本発明は、シリンジ用蓋であって、シリンジと密接する密接部に内容物が逆流防止用の空気溝を設けたことを特徴とするシリンジ用蓋である。
本発明は、シリンジ用蓋に用いるシリンジであって、シリンジ用蓋と密接する密接部に内容物が逆流防止用の空気溝を設けたことを特徴とするシリンジである。
【発明を実施するための最良の形態】
【００００７】本発明のシリンジの蓋１は柱状をしており、一端にシリンジの内容物を排出する排出口の蓋となる凹部を有し、もう一方にノズル先端部の蓋となる穴を有する。柱状には握り易くする為に、保持溝が切ってあることが好ましい。凹部の側壁に着脱時に空気の入出を可能した溝を有することが好ましい。柱状は円柱状であることが好ましい。本発明の蓋１のノズル先端部を挿入する穴の位置及び場所は特に限定されない。凹部の底部には、シリンジ排出口のに内接する突起部を有することが好ましい。突起部により、付着して糸引き状になることを抑制することができる。この突起部７の形状に関しては特に限定されない。
本発明のシリンジは、シリンジ内容物排出口の外側壁に溝を刻設し、空気の排出口とすることが好ましい。排出口を有するシリンジと本発明の蓋の組合せは最も好ましい。【０００８】さらに本発明の蓋に有する保持溝は蓋の外周円上に凹凸面５を備えていることが好ましい。更に好ましくは挿入方向に対して垂直な溝である。
本発明の蓋は通常シリンジの材質として用いられるポリプロピレンやポリエチレン等のプラスチック素材やニードルチップのノズル先端の材質として用いられるステンレス等の金属素材と比較して材質的に軟らかい弾性素材を材質として用いることが特徴である。
さらに本発明の蓋は、押し込む又は引抜くという簡便な操作で行える。【０００９】本発明の蓋の材質はＪＩＳ  Ｋ  ６２５３に準じたデュロメータ（Ｅタイプ）による硬度が９０以下のものと定義される。このゴム硬度の測定においては測定する試料の厚みや大きさによりゴム硬度の値が変わることから、シリンジ先端部又はニードルチップのノズル先端部に挿入する部分で厚みが一番薄い個所での測定と規定する。
本発明の蓋に用いることができる弾性素材を具体的に例示するとニトリルゴム、水素化ニトリルゴム、フッ素ゴム、アクリルゴム、シリコーンゴム、ウレタンゴム、エチレンプロピレンゴム、クロロプレンゴム、クロロスルフォン化ポリエチレンゴム、エピクロルヒドリンゴム、天然ゴム、イソプレンゴム、スチレンブタジエンゴム、グタジエンゴム、多硫化ゴム、ノルボルネンゴム、熱可塑性エラストマー、ブチルゴム及びハロゲン化ブチルゴム等が挙げられる。
これらの中でもＪＩＳ  Ｋ  ６２５３に準じたデュロメータ（Ａタイプ）による硬度が９０以下の上記弾性素材が好ましく、より好ましくはゴム硬度が７０以下の硬度を有した高引裂きタイプのシリコーンゴムである。
【図面の簡単な説明】
【００１０】
【図１】シリンジの蓋の側面図
【図２】シリンジの蓋の断面図
【図３】ノズルの側面図
【図４】蓋をしたシリンジの側面図
【図５】蓋をしたシリンジの断面図
【図６】シリンジにノズルを装着し、その先端にシリンジの蓋を装着した側面図
【符号の説明】
【００１１】１  蓋
２  シリンジ端挿入部
３  保持部
４  ノズル端挿入部
５  突起部
【図１】
2006141932.tif 000003
【図２】
2006141932.tif 000004
【図３】
2006141932.tif 000005
【図４】
2006141932.tif 000006
【図５】
2006141932.tif 000007
【図６】
2006141932.tif 000008